(57)【要約】【課題】オリジナリティのあるアクセサリを簡単に作ることができる手作りアクセサリを提供すること。【解決手段】上面に所定の形状の凹部２が形成されたアクセサリ基台１の上面に、該アクセサリ基台１より大きな面積を有するとともに表面に適宜の情報ａが表示された紙４を載置し、上記凹部２に嵌合可能に形成された透明なプレート３を上記紙４の上から押圧することにより、上記紙４を上記プレート３と同一形状の紙片４ａに切り取るとともに切り取った紙片４ａを上記凹部２内に収容する手作りアクセサリであって、上記プレート３の下面周縁には上記紙を切断する切断手段５を設けるとともに、プレート３の側面３ａと上記凹部２の内壁面２ａとにはプレート３をアクセサリ基台１に固定する固定手段６、７を設けた。【選択図】　　　　図１
2004041521.tif 000002
【特許請求の範囲】
【請求項１】
上面に所定の形状の凹部が形成されたアクセサリ基台の上面に、該アクセサリ基台より大きな面積を有するとともに表面に適宜の情報が表示された紙を載置し、上記凹部に嵌合可能に形成された透明なプレートを上記紙の上から押圧することにより、上記紙を上記プレートと同一形状の紙片に切り取るとともに切り取った紙片を上記凹部内に収容するアクセサリであって、
上記プレートの下面周縁には上記紙を切断する切断手段を設けるとともに、プレートの側面と上記凹部の内壁面とにはプレートをアクセサリ基台に固定する固定手段を設けたことを特徴とする手作りアクセサリ。
【請求項２】
前記切断手段が前記プレートの下面周縁から下方に突出形成された鋸歯状の突縁で、前記固定手段がプレートの側面に形成された突部と、前記凹部の内壁面に形成され上記突部を係止する係止凹部で構成される、請求項１記載の手作りアクセサリ。
【請求項３】
上面に所定の形状の凹部が形成されたアクセサリ基台の上面に、該アクセサリ基台より大きな面積を有するとともに表面に適宜の情報が表示された紙を載置し、上記凹部に嵌合可能に形成された透明なプレートを上記紙の上から押圧することにより、上記紙を上記プレートと同一形状の紙片に切り取るとともに切り取った紙片を上記凹部内に収容するアクセサリを組み立てる手作りアクセサリの組立て装置であって、
装置本体に上記アクセサリ基台を保持する保持部が形成された受台と、該受台に開閉可能に配置され、上記プレートをガイドするガイド穴が形成されたガイド板とを備えた保持体を収容する収容凹部を設け、該収容凹部に収容した保持体の上方に配置されるとともに装置本体に上下動可能に配置された押圧部を押し下げ操作することにより、上記ガイド板にガイドされたプレートを押し下げて上記受台の保持部に保持されたアクセサリ基台の凹部に嵌合させることを特徴とする手作りアクセサリの組立て装置。
【発明の詳細な説明】
【０００１】
【発明の属する技術分野】
本発明は、手作りアクセサリとその組立て装置に関する。
【０００２】
【従来の技術】
従来、様々なデザイン（写真、絵、文字等）が表示されたバッジやペンダントなどのアクセサリが市販されている。これらのアクセサリのデザインはメーカーがユーザーの好みや流行をサーベイして作成又は各種イベント向けに作成されたり、商品のオマケとして作成されたりしてユーザーに提供されている。
【０００３】
【発明が解決しようとする課題】
しかしながら、上述のアクセサリはメーカー側が提供するアクセサリの中からユーザーが自分の好みのものを取捨選択するものであって、ユーザーのオリジナリティが反映されるものではないため、ユーザーオリジナルの手作りアクセサリを作成することができるキットなどが提供されているが、情報が表示された紙を必要な大きさにカッターやハサミで切り取るなど組み立てる前の準備作業が必要になり簡単に手作りアクセサリを作成できない問題があった。
【０００４】
本発明は上記問題点を解消し、オリジナリティのあるアクセサリを簡単に作ることができる手作りアクセサリとその手作りアクセサリを組み立てる組立て装置とを提供することをその課題とする。
【０００５】
【課題を解決するための手段】
前記課題を解決するため、本発明に係る手作りアクセサリは、上面に所定の形状の凹部が形成されたアクセサリ基台の上面に、該アクセサリ基台より大きな面積を有するとともに表面に適宜の情報が表示された紙を載置し、上記凹部に嵌合可能に形成された透明なプレートを上記紙の上から押圧することにより、上記紙を上記プレートと同一形状の紙片に切り取るとともに切り取った紙片を上記凹部内に収容する手作りアクセサリであって、上記プレートの下面周縁には上記紙を切断する切断手段を設けるとともに、プレートの側面と上記凹部の内壁面とにはプレートをアクセサリ基台に固定する固定手段を設けたことを特徴とする。
【０００６】
なお、前記切断手段が前記プレートの下面周縁から下方に突出形成された鋸歯状の突縁で、前記固定手段がプレートの側面に形成された突部と、前記凹部の内壁面に形成され上記突部を係止する係止凹部で構成されていればよい。
【０００７】
また、本発明に係る手作りアクセサリの組立て装置は、上面に所定の形状の凹部が形成されたアクセサリ基台の上面に、該アクセサリ基台より大きな面積を有するとともに表面に適宜の情報が表示された紙を載置し、上記凹部に嵌合可能に形成された透明なプレートを上記紙の上から押圧することにより、上記紙を上記プレートと同一形状の紙片に切り取るとともに切り取った紙片を上記凹部内に収容するアクセサリを組み立てる手作りアクセサリの組立て装置であって、装置本体に上記アクセサリ基台を保持する保持部が形成された受台と、該受台に開閉可能に配置され、上記プレートをガイドするガイド穴が形成されたガイド板とを備えた保持体を収容する収容凹部を設け、該収容凹部に収容した保持体の上方に配置されるとともに装置本体に上下動可能に配置された押圧部を押し下げ操作することにより、上記ガイド板にガイドされたプレートを押し下げて上記受台の保持部に保持されたアクセサリ基台の凹部に嵌合させることを特徴とする。
【０００８】
【発明の実施の形態】
図１は、本発明に係る手作りアクセサリの一例を説明する分解斜視図を示し、この手作りアクセサリは上面に六角形の凹部２が形成された板状のアクセサリ基台１と、この凹部２に嵌合可能な透明のプレート３とで構成され、図２（ａ）に示すように、アクセサリ基台１とプレート３の間にアクセサリ基台１より大きな面積の紙４を挟み、プレート３をアクセサリ基台１に押し付けることにより、プレート３が紙４をプレート３と同一形状の紙片４ａに切り取るとともに上記アクセサリ基台１の凹部２に紙片４ａとともにプレート３を凹部２に嵌合するようにしたものである（図２（ｂ）参照）。
【０００９】
プレート３は透明なアクリル樹脂などでアクセサリ基台１の凹部２と同一形状に形成され、アクセサリ基台１の凹部２に嵌め合わせることができるようになっている。このプレート３の下面周縁には切断手段である鋸歯状の突縁５が形成されるとともに、プレート３の側面にはプレート３をアクセサリ基台１に固定する固定手段である突片６が等間隔に突出形成されている（図３（ａ）（ｂ）参照）。
【００１０】
一方、アクセサリ基台１は上面に六角形の凹部２が形成されるとともに、凹部２の内壁面２ａには上記プレート３の突片５を係止し、プレート３を凹部２内に固定する固定手段である係止凹部７が形成され、凹部２の底面周縁には凹溝８が周設されるとともに、底面中央には後述する止め具４０を取り付ける取り付け穴９が形成されている。この取り付け穴９の外側壁面の下部には段部９ａが突出形成されている（図４（ａ）（ｂ）参照）。
【００１１】
なお、上記アクセサリ基台１は必ずしも六角形状に限定されるものではなく、ハート形状、星形状などその形状は任意に設定されればよく、凹部２も六角形に限定されるものではなくアクセサリ基台１の形状に合わせて形成してもよい。なお、プレート３は凹部２の形状と同一形状であればよい。
【００１２】
上記構成の手作りアクセサリを組み立てる際には、図２（ａ）に示すように、アクセサリ基台１の上に情報ａが表示された紙４を重ね、紙４の上からプレート３をアクセサリ基台１の凹部２に嵌め込むように上から押し付ければよい。プレート３の下面周縁には鋸歯状の突縁５が形成されているので、プレート３が凹部２に押し込まれる際、凹部２の壁面と突縁５とで紙４が切断され六角形の紙片４ａとなって凹部２の中に収容される。プレート３をさらに押し込むと、突縁５は凹溝８に入り込むとともに、側面に形成された突部６が凹部２の内壁面２ａに形成された係止凹部７に噛み込み、プレート３は凹部２内に固定されるとともに凹部２の底面とプレート３の裏面とで情報ａが表示された紙片４ａを挟持した状態で紙片４ａを凹部２内に収容するので紙片４ａを撓ませることがなく手作りアクセサリを形成することができる。
【００１３】
プレート３は透明なので紙片４ａに表示された情報ａがプレート３を透して見ることができ、家族の顔写真や気に入った漫画の主人公、気に入ったキャッチフレーズ等、情報が紙４に表示されたものであればユーザーの好みの情報をアクセサリに取り込むことができ、ユーザーオリジナルのアクセサリをユーザー自身で作成することができる。
【００１４】
上述のように組み立てたアクセサリを衣服などに止めるためには、アクセサリ基台１の裏面に止め具４０を取り付ける必要がある。この止め具４０は、図５（ａ）に示すように、支持板４１の両端に起立片４２が形成され側面視略コ字状で支持板４１の裏面にピン４３が突出形成され、ピンストッパー４４で衣服などに止めるピンズ形式の止め具と、図５（ｂ）に示すように、支持板４１’の裏面に安全ピン４５を支持する略Ｕ字状に湾曲した支持部４６が形成された安全ピン形式の止め具などである。
【００１５】
支持板４１の場合は、起立片４２、４２の上端に外方に係合縁４２ａ、４２ａが突出形成され、アクセサリ基台１の裏面から起立片４２を取り付け穴９に圧入することにより、係合縁４２ａが取り付け穴９の段部９ａに係合してアクセサリ基台１から抜脱できないように固定することができ、支持板４１’の場合は、縦にスリット４７が形成された筒状の嵌合部４８の上端外周面に係合縁４８ａが周設され、アクセサリ基台１の裏面から嵌合部４８を円形の取り付け穴９’に圧入することにより、係合縁４８ａが取り付け穴９’の段部９ａ’に係合してアクセサリ基台１から抜脱できないように遊嵌することができ、アクセサリ基台１に固定された止め具４０の機能により衣服などにアクセサリを取り付けることができる。
【００１６】
なお、上記支持板４１’の嵌合部４８はアクセサリ基台１の取り付け穴９’に遊嵌しているので、アクセサリ基台１に支持板４１’を取り付けた後に安全ピン４５の位置とプレート３を透して見える情報ａの位置との角度調整を行なうことができるので、アクセサリを衣服に取り付けた際に情報ａが傾いて見えるようなことがなく正しい状態で見ることができる。
【００１７】
次に、図６〜図８に基づいて、上記手作りアクセサリを組み立てる組立て装置について説明する。この組立て装置Ａは、装置本体１０に上述したアクセサリ基台１を保持する保持部１１が形成された受台１２と、この受台１２に開閉可能に配置され、前記プレート３をガイドするガイド穴１３が形成されたガイド板１４とからなる保持体１５を収容する収容凹部１６を設け、該収容凹部１６に収容した保持体１５の上方に配置されるとともに装置本体１０に上下動可能に配置された押圧部２０を押し下げ操作することにより、上記プレート３を上記アクセサリ基台１の凹部に嵌合させることができるようにしたものである。
【００１８】
上記ガイド板１４に形成されたガイド穴１３の内壁面には後述する係合縁１７に係合する保持機構の一方である切り欠き１３ａが周設されている。
【００１９】
上記受台１２は略方形状に形成され、中央にはアクセサリ基台１を収容する保持部１１である六角形の凹部が形成され、この凹部１１の周縁は上方に膨出して保持機構の他方である係合縁１７が形成されている。そして、この受台１２にはガイド板１４がネジ１８で受台１２に固定される支持部材１９により開閉可能に支持されている。このガイド板１４を受台１２に重なるように閉じたときには、保持機構であるガイド穴１３の切り欠き１３ａと係合縁１７とが噛み合い、情報ａが表示された紙４を緊張した状態で保持するとともに、ガイド板１４に形成されたガイド穴１３の位置はアクセサリ基台１の凹部に対応するように形成されている。
【００２０】
この保持体１５に形成された収容凹部１６はアクセサリ基台１の形状に対応して形成されているので、この保持体１５はアクセサリ基台１の形状と同数用意されていればよい。
【００２１】
押圧部２０は、装置本体１０に軸体２１で上下に回動可能に軸支されたレバー部材２２に設けられているもので、レバー部材２２にネジ２３で固定された枠体２４の軸受２５に軸部２６が回動可能に軸支された軸体２７と、この軸体２７に沿って上下に摺動可能に配置され、下部が広径の筒状に形成された第１の押圧部２８と、上記軸体２７の下端にネジ２９で固定され下方が開口した筒状の第２の押圧部３０とから構成され、上記第１の押圧部２８は常にスプリング３１で第２の押圧部３０の上面に当接するように付勢され、当接時には第１の押圧部２８の下端は第２の押圧部３０の下端よりも下方に位置する状態になっている（図６（ａ）参照）。
【００２２】
そして、レバー部材２２を押し下げたときには、図６（ｂ）に示すように、第１の押圧部２８の下端が保持体１５のガイド板１４の上面に当接し、さらにレバー部材２２を押し下げるとスプリング３１を圧縮しながら（スプリング３１の圧縮力で第１の押圧部２８材をガイド板１４に押し付ける）第２の押圧部３０の先端がガイド板１４のガイド穴１３を貫通し受台１２の保持部１１に到達するようになっている。
【００２３】
上記組立て装置を使用する場合は、先ず受台１２の保持部１１にアクセサリ基台１をセットし（図８（ａ）参照）、アクセサリ基台１の上に情報が表示された紙４を載せる（図８（ｂ）参照）。紙を載置したならばガイド板１４を倒して紙を押える。このときガイド板１４のガイド穴１３から情報が見えるように紙の位置を調整し、ガイド板１４を強く押して保持機構であるガイド穴１３の切り欠き１３ａと係合縁１７とで情報ａが表示された紙４を緊張した状態で保持させた後（図８（ｃ）参照）、ガイド穴１３にプレート３を嵌め込む（図８（ｄ）参照）。
【００２４】
受台１２の保持部１１にアクセサリ基台１を保持させ、ガイド板１４で紙を押えるとともにガイド穴１３にプレート３を嵌め込んだ状態の保持体１５を装置本体１０の収容凹部１６にセットする（図７（ａ）参照）。
【００２５】
保持体１５のセットが完了したら、レバー部材２２を押し下げる。レバー部材２２を押し下げると先ず第１の押圧部２８が保持体１５のガイド板１４に当接する（図７（ｂ）参照）。さらにレバー部材２２を押し下げるとスプリング３１を圧縮しながら第２の押圧部３０が下降し、プレート３に当接する。
【００２６】
第１の押圧部２８はスプリング３１によりガイド板１４に強く押し付けられ、紙をガイド板１４の裏面と係合縁１７とで固定する。係合縁１７の面積が小さいので紙と係合縁１７との摩擦が大きく紙をガイド板１４からずれることなく固定することができる。この状態でプレート３が第２の押圧部３０材で押し下げられると、アクセサリ基台１の凹部２の縁とプレート３の下面周縁に形成された鋸歯状の突縁５とで紙が切り裂かれ、紙はプレート３と同一形状の紙片となってアクセサリ基台１の凹部２内に押し込まれる。同時にプレート３も突部６が係止凹部７に係止されるまで凹部２内に押し込まれるとプレート３の下面が凹部２の底面に紙片４を押さえつけた状態になるので（図７（ｃ）参照）、レバー部材２２はそれ以上押し下げることはできなくなり、ユーザーはプレート３がアクセサリ基台１に固定されたと判断することができる。
【００２７】
レバー部材２２の押し下げを解除するとレバー部材２２は図示しないバネで上方に復帰回動し、保持体１５が露出する。収容凹部１６の底面に形成された貫通口３２の下方から指の先を差し入れて保持体１５を押し上げながら収容凹部１６から取り出せばよい。
【００２８】
取り出した保持体１５のガイド板１４を開いて受台１２の凹部の底面に形成された貫通口３３から指の先を差し入れてアクセサリ基台１を押し上げ、受台１２の保持部１１からアクセサリを取り外せばよい。
【００２９】
上述したように、保持部１１にアクサリ基台と紙とプレート３とをセットし、これらがセットされた状態の保持体１５を装置の収容凹部１６にセットし、レバー部材２２を押し下げる簡単な操作で手作りアクセサリを作ることができ、予め情報が表示された紙から型紙に合わせて切り抜く必要もないし、紙片はプレート３と同じ大きさに紙から自動的に切り抜かれて凹部内に綺麗に収まるので見栄えがよく、カッターやハサミ又は特別な工具を用いることなく簡単に手作りアクセサリを作成することができる。
【００３０】
作成したアクセサリは、上述したようにアクセサリ基台１に止め具を取り付けて使用すればよい。
【００３１】
【発明の効果】
請求項１の発明によれば、上面に凹部が形成されたアクセサリ基台に情報が表示された紙を載置し、紙の上から透明なプレートを凹部に嵌るように押し込むことにより、切断手段で紙がプレートと同一形状に切り取られるとともに凹部内にプレートとともに嵌り込み、さらに、プレートとアクセサリ基台とは固定手段で固定されるので、プレート及び情報が表示された紙片はアクセサリ基台から離脱することがなく、接着剤等を用いることなく簡単に手作りアクセサリを作ることができる。
【００３２】
請求項２の発明によれば、プレートをアクセサリ基台の凹部に嵌るように押し付けるだけで紙から紙片を綺麗に切り取ることができ、切り取ると同時にプレートをアクセサリ基台に固定することができる。
【００３３】
請求項３の発明によれば、アクセサリ基台と紙とプレートとがセットされた保持体を装置本体の収容凹部にセットし、レバー部材を押し下げる簡単な操作でアクセサリを作ることができる。しかも、保持体の受部に形成された保持部とガイド板に形成されたガイド孔をアクセサリの形状に合わせた保持体を用意すれば、１つの装置本体で全ての保持体に対応することができるのでユーザーの好みの外観を有するアクセサリにユーザーの好みの情報を付加することができ、オリジナリティのあるアクセサリを簡単に作ることができる。
【図面の簡単な説明】
【図１】本発明に係る手作りアクセサリの分解斜視図
【図２】（ａ）（ｂ）は上記手作りアクセサリの組立てを説明する斜視図
【図３】（ａ）（ｂ）はプレートの平面図及びＸ―Ｘ’線端面図
【図４】（ａ）（ｂ）はアクセサリ基台の平面図及びＹ―Ｙ’線端面図
【図５】（ａ）（ｂ）はアクセサリ基台に止め具を取り付ける状態を説明する斜視図
【図６】組立て装置の分解斜視図
【図７】（ａ）〜（ｃ）は組立て装置の使用態様を説明する要部断面図
【図８】（ａ）〜（ｄ）は保持体にアクセサリの部品をセットする状態を説明する要部断面図
【符号の説明】
１　アクセサリ基台
２　凹部
３　プレート
４　紙
５　突縁（切断手段）
６　突片（固定手段）
７　係止凹部（固定手段）
１１　保持部
１２　受台
１３　ガイド穴
１４　ガイド板
１５　保持体
１６　収容凹部
２０　押圧部
【図１】
2004041521.tif 000003
【図２】
2004041521.tif 000004
【図３】
2004041521.tif 000005
【図４】
2004041521.tif 000006
【図５】
2004041521.tif 000007
【図６】
2004041521.tif 000008
【図７】
2004041521.tif 000009
【図８】
2004041521.tif 000010